(57)【要約】      （修正有）【課題】標準電波受信以外の通信機能を備えた電波時計のユーザビリティを向上させる技術を提供する。【解決手段】電波時計１００は、標準電波を受信し、標準電波に基づいて時刻修正を行う電波時計であって、標準電波を受信する標準電波受信部１０２と、外部機器とデータ通信を行うことによりデータを取得する通信部１０４と、通信部１０４の動作状態を検知し、動作状態に基づいて、標準電波受信部１０２による標準電波受信動作を制御する制御部１０１と、を備える。【選択図】図２
2018179872.tif 000002
【特許請求の範囲】
【請求項１】
標準電波を受信し、当該標準電波に基づいて時刻修正を行う電波時計であって、
前記標準電波を受信する標準電波受信部と、
外部機器とデータ通信を行うことによりデータを取得する通信部と、
前記通信部の動作状態を検知し、当該動作状態に基づいて、前記標準電波受信部による標準電波受信動作を制御する制御部と、
を備える電波時計。
【請求項２】
請求項１において、
前記通信部が停止状態の場合、前記制御部は、前記標準電波受信部が前記標準電波を受信することを許可する、電波時計。
【請求項３】
請求項１または２において、
前記通信部と前記外部機器との接続状態がペアリング状態あるいは接続済状態の場合、前記制御部は、前記標準電波受信部による前記標準電波の受信を禁止する、電波時計。
【請求項４】
請求項１〜３の何れか１項において、
前記通信部が前記外部機器からの接続要求を待っている待機状態である場合、前記制御部は、さらに、前記電波時計の周囲に人が存在し、前記通信部が使用される可能性があるか否か判断し、前記通信部が使用される可能性があると判断した場合には、前記標準電波受信部による前記標準電波の受信を禁止し、前記通信部が使用される可能性がないと判断した場合には、前記標準電波受信部による前記標準電波の受信を許可する、電波時計。
【請求項５】
請求項３または４において、
さらに、ＬＥＤ表示部を備え、
前記制御部は、前記標準電波の受信の有無に応じて、前記ＬＥＤ表示部におけるＬＥＤ点灯モードを制御する、電波時計。
【請求項６】
請求項５において、
前記制御部は、前記標準電波の受信中は前記ＬＥＤ表示部をスタティック点灯させ、前記標準電波を受信していない間は前記ＬＥＤ表示部をパルス点灯させる、電波時計。
【請求項７】
請求項６において、
前記制御部は、前記ＬＥＤ表示部をスタティック点灯させる場合にはＬＥＤ点灯電圧を調整し、前記ＬＥＤ表示部をパルス点灯させる場合にはＬＥＤ点灯電圧およびデューティ比を調整する、電波時計。
【請求項８】
請求項１〜７の何れか１項において、
前記通信部は、近距離無線通信方式によって前記外部機器とデータ通信する、電波時計。
【請求項９】
請求項１〜８の何れか１項に記載の電波時計と、
前記電波時計との間で通信を行い、前記電波時計に所定のデータを送信するサーバ装置と、
を備える電波時計システム。
【請求項１０】
請求項９において、
前記サーバ装置は、前記電波時計の要求に応答して、前記所定のデータを前記電波時計に送信するスマートフォンによって構成される、電波時計システム。
【発明の詳細な説明】
【技術分野】
【０００１】
本開示は、電波時計、および電波時計システムに関する。
【背景技術】
【０００２】
特許文献１には、Bluetooth（登録商標）による近距離通信機能を備えた電波時計が開示されている。当該電波時計は、Bluetooth（登録商標）用のアンテナと、標準電波受信用のアンテナとを備え、それらが干渉しないように、互いに重なるように立体的に配置される構成となっている。
【先行技術文献】
【特許文献】
【０００３】
【特許文献１】特開２０１７−４４５５５号公報
【発明の概要】
【発明が解決しようとする課題】
【０００４】
しかしながら、特許文献１に開示のアンテナ配置構造を用いたとしても、Bluetooth（登録商標）機能が動作している状態では、標準電波の受信感度を充分に確保できない場合がある。このような場合にどのように対処すべきかについては、特許文献１には述べられていない。また、例えば、標準電波を受信している間は、Bluetooth（登録商標）機能を停止させ、標準電波の受信感度を確保するようにすることが考えられるが、強制的にBluetooth（登録商標）機能を停止すると、ユーザビリティが損なわれてしまう。
【０００５】
本開示はこのような状況に鑑みてなされたものであり、標準電波受信以外の通信機能を備えた電波時計のユーザビリティを向上させる技術を提供する。
【課題を解決するための手段】
【０００６】
上記課題を解決するために、本開示による電波時計は、標準電波を受信し、当該標準電波に基づいて時刻修正を行う電波時計であって、標準電波を受信する標準電波受信部と、外部機器とデータ通信を行うことによりデータを取得する通信部と、通信部の動作状態を検知し、当該動作状態に基づいて、標準電波受信部による標準電波受信動作を制御する制御部と、を備える。
【０００７】
通信部が停止状態の場合、制御部は、標準電波受信部が標準電波を受信することを許可する。一方、通信部と外部機器との接続状態がペアリング状態あるいは接続済状態の場合、制御部は、標準電波受信部による前記標準電波の受信を禁止する。
【０００８】
通信部が外部機器からの接続要求を待っている待機状態である場合、制御部は、さらに、電波時計の周囲に人が存在し、通信部が使用される可能性があるか否か判断し、通信部が使用される可能性があると判断した場合には、標準電波受信部による標準電波の受信を禁止し、通信部が使用される可能性がないと判断した場合には、標準電波受信部による標準電波の受信を許可する。
【０００９】
本開示による電波時計は、さらに、ＬＥＤ表示部を備え、制御部は、標準電波の受信の有無に応じて、ＬＥＤ表示部におけるＬＥＤ点灯モードを制御する。制御部は、標準電波の受信中はＬＥＤ表示部をスタティック点灯させ、標準電波を受信していない間はＬＥＤ表示部をパルス点灯させる。制御部は、ＬＥＤ表示部をスタティック点灯させる場合にはＬＥＤ点灯電圧を調整し、ＬＥＤ表示部をパルス点灯させる場合にはＬＥＤ点灯電圧およびデューティ比を調整する。
なお、通信部は、近距離無線通信方式によって外部機器とデータ通信する。
【００１０】
さらに、上記課題を解決するために、本開示による電波時計システムは、上述の電波時計と、当該電波時計との間で通信を行い、電波時計に所定のデータを送信するサーバ装置と、を備える。当該サーバ装置は、電波時計の要求に応答して、所定のデータを電波時計に送信するスマートフォンによって構成される。
【００１１】
本開示に関連する更なる特徴は、本明細書の記述、添付図面から明らかになる。また、本開示の態様は、要素及び多様な要素の組み合わせ及び以降の詳細な記述と添付される特許請求の範囲の様態により達成され実現される。
本明細書の記述は典型的な例示に過ぎず、本開示の特許請求の範囲又は適用例を如何なる意味においても限定するものではないことを理解する必要がある。
【発明の効果】
【００１２】
本開示によれば、標準電波受信以外の通信機能を備えた電波時計のユーザビリティを向上させることができる。
【図面の簡単な説明】
【００１３】
【図１】本開示の実施形態による電波時計システム１の概略構成を示す図である。
【図２】本開示の実施形態による電波時計１００の機能構成を示す機能ブロック図である。
【図３】本開示の実施形態による標準電波受信処理の詳細を説明するためのフローチャートである。
【図４】本実施形態による電波時計であって、ＬＥＤ点灯モード切替機能を備える電波時計の機能構成を示すブロック図である。
【図５】本開示の実施形態による点灯モード切替処理の詳細を説明するためのフローチャートである。
【発明を実施するための形態】
【００１４】
本開示の実施形態は、外部機器とデータ通信を行うことによりデータを取得する通信部の動作状態（例えば、ＯＦＦ状態、接続状態、ペアリング状態、待機状態を含む）を検知し、当該動作状態に基づいて、標準電波受信動作を制御する電波時計に関する。
【００１５】
以下、添付図面を参照して本開示の実施形態について説明する。添付図面では、機能的に同じ要素は同じ番号で表示される場合もある。なお、添付図面は本開示の原理に則った具体的な実施形態と実装例を示しているが、これらは本開示の理解のためのものであり、決して本開示を限定的に解釈するために用いられるものではない。
【００１６】
本実施形態では、当業者が本開示を実施するのに十分詳細にその説明がなされているが、他の実装・形態も可能で、本開示の技術的思想の範囲と精神を逸脱することなく構成・構造の変更や多様な要素の置き換えが可能であることを理解する必要がある。従って、以降の記述をこれに限定して解釈してはならない。
【００１７】
＜電波時計システムの構成＞
図１は、本開示の実施形態による電波時計システム１の概略構成を示す図である。
電波時計システム１は、電波時計１００と、電波送信装置２００と、サーバ３００と、を備える。
【００１８】
電波時計１００は、所定の間隔で、日本の標準時刻の情報を含む標準電波を受信し、それに基づいて時刻を自動修正する。電波時計１００は、例えば、1日に１回、決められた時間に自動受信するが、電波を受信していないときは通常のクオーツ時計として、クオーツの精度（通常、月差±１５秒〜２０秒）で作動する。
【００１９】
電波送信装置２００は、標準電波送信所に設置され、標準電波を発信する。標準電波はほぼ２４時間にわたって常時、電波送信装置２００によって発信されている。
【００２０】
サーバ３００は、例えば、ネットワークを介して、電波時計１００と通信を行い、要求に応じて、電波時計１００に対してデータを送信することができる。サーバ３００は、例えば、スマートフォン、各種データベース、やＰＣなどで構成され、端末装置として電波時計１００に対して、ユーザの要求に応答して、要求された情報やデータ（例えば、音楽や画像・映像など）を送信する。電波時計１００とサーバ３００との間の通信としては、例えば、Bluetooth（登録商標）や赤外線通信などの近距離無線通信方式、無線ＬＡＮ通信、インターネット通信やパケット通信などの長距離無線通信方式を用いることができる。なお、図２以降の説明では、電波時計１００とサーバ３００との間の通信は方式の例としてBluetooth（登録商標）を用いているが、例示した他の通信方式に読み替えることができる。つまり、以下では、例えば、Bluetooth（登録商標）機能を、赤外線通信機能やインターネット通信機能と読み替えることができる。
【００２１】
＜電波時計の機能構成＞
図２は、本開示の実施形態による電波時計１００の機能構成を示す機能ブロック図である。
【００２２】
電波時計１００は、各種プログラムを実行し、電波時計１００の動作を制御するプロセッサ（制御部ということも可能である）１０１と、電波送信装置２００から送信されてきた標準電波を受信する標準電波受信部１０２と、標準電波受信部１０２が受信した標準電波に基づいて、時刻を修正する時刻修正部１０３と、サーバ３００と通信を行い、サーバ３００との間で所定の情報やデータを送受信する通信部１０４と、人が活動しているか否かを判断するための情報を取得するセンサ部１０５と、各種プログラム（図３や図５に示されるフローチャートの処理を実行するためのプログラムを含む）や各種データなどを格納する記憶部１０６と、ユーザが電波時計１００に対して所定の情報やデータ、所定の操作による命令などを入力する入力部１０７と、プロセッサが処理することによって得られるデータを出力する出力部１０８と、を備える。
【００２３】
通信部１０４は、例えば、Bluetooth（登録商標）通信を実行する。センサ部１０５は、例えば、明暗センサ、赤外線センサやカメラなどである。記憶部１０６は、ＩＣメモリ、メモリカードやＵＳＢメモリなどの半導体メモリ、ＲＯＭ、ＲＡＭなどで構成される。入力部１０７は、例えば、各種ボタン、タッチパネル、マイクなどによって構成される。出力部１０８は、例えば、表示部（ＬＥＤ表示）、スピーカなどによって構成される。
【００２４】
プロセッサ１０１は、Bluetooth（登録商標）機能部（通信部）１０４の動作状態を常時監視し、Bluetooth（登録商標）機能の状態を把握している。Bluetooth（登録商標）機能の動作状態には、例えば、ＯＦＦ状態と、接続済状態と、ペアリング状態と、待機状態とが存在する。ここで、ＯＦＦ状態は、Bluetooth（登録商標）が停止している状態を意味する。接続済状態は、電波時計１００とサーバ３００との間で通信が行われている状態（ただし、データ転送が行われている状態とは限らず、いつでもデータを転送できる状態）を意味する。
【００２５】
また、ペアリング状態は、サーバ３００とのペアリングが可能な状態（例えば、電波時計１００からサーバ３００にキー情報を送信してサーバ３００からの返答を待っている状態）を意味する。例えば、ユーザが電波時計１００とスマートフォン（サーバ３００に相当）をペアリングしたいというときに、両機器をペアリングモードにし、スマートフォンが電波時計１００のペアリング用キーを検知できるようにした状態である。
【００２６】
さらに、待機状態は、ペアリングしたサーバ３００からの接続要求を待っている状態を意味する。例えば、ペアリング後、スマートフォン（サーバ３００に相当）ではBluetooth（登録商標）機能がＯＦＦの状態（起動していない状態）となっていて、電波時計１００ではBluetooth（登録商標）機能がＯＮの状態（起動している状態）、または電波時計１００においてBluetooth（登録商標）機能がＯＮの状態（起動している状態）となっていて、スマートフォン（サーバ３００に相当）からの接続要求を電波時計１００が待っている状態である。
【００２７】
＜標準電波受信処理の詳細＞
図３は、本開示の実施形態による標準電波受信処理の詳細を説明するためのフローチャートである。プロセッサ１０１は、記憶部１０６から図３のフローチャートの処理を実行するための標準電波受信処理プログラムを読み込み、内部メモリ（図示せず）に展開して各ステップを実行する。以下では、動作主体をプロセッサ１０１として説明するが、標準電波受信処理プログラムと読み替えることも可能である。
【００２８】
（i）ステップ３０１
プロセッサ１０１は、常時、電波時計１００が計測する時刻を監視する。
【００２９】
（ii）ステップ３０２
例えば、標準電波受信時刻は、一日１回から数回決められており、その情報が記憶部１０６に記憶されている。プロセッサ１０１は、記憶部１０６から予め設定されている標準電波受信時刻の情報を読み込み、監視していた時刻が読み込んだ標準電波受信時刻であるか否か判断する。時刻が標準電波受信時刻でない場合（ステップ３０２でＮｏの場合）、処理はステップ３０１に移行し、時刻監視処理（ステップ３０１の処理）が継続される。一方、時刻が標準電波受信時刻である場合（ステップ３０２でＹｅｓの場合）、処理はステップ３０３に移行する。なお、電波時計１００の時刻は、修正前においては標準時刻と多少の誤差を含む可能性がある。そのため、標準電波受信時刻か否かは、予め設定されている標準電波受信時刻±設定閾値（ユーザが任意に決定してもよいし、予め固定値として設定されていてもよい）の範囲内に電波時計１００の計測時刻が入ったか否かによって判断するようにしてもよい。
【００３０】
（iii）ステップ３０３
プロセッサ１０１は、電波時計１００において、Bluetooth（登録商標）機能がＯＮ状態（起動状態）となっているか否か判断する。Bluetooth（登録商標）機能がＯＦＦ状態（非起動状態）の場合（ステップ３０３でＮｏの場合）、処理はステップ３０４に移行する。Bluetooth（登録商標）機能がＯＮ状態（起動状態）の場合（ステップ３０３でＹｅｓの場合）、処理はステップ３０５に移行する。
【００３１】
（iv）ステップ３０４
プロセッサ１０１は、標準電波受信部１０２を用いて、送信局の電波送信装置２００から送信される標準電波の受信を開始する（標準電波受信部１０２による標準電波の受信を許可する）。そして、プロセッサ１０１は、時刻修正部１０３を用いて、受信した標準電波に基づいて、現在の時刻を修正する。
なお、後述のステップ３０７で人の活動がないと判断された場合（例えば、ユーザが就寝中で電波時計１００が暗所にあるような場合）には、プロセッサ１０１は、Bluetooth（登録商標）機能をＯＦＦにして標準電波の受信を行うようにする。
【００３２】
（v）ステップ３０５
プロセッサ１０１は、Bluetooth（登録商標）機能がペアリング状態または接続済状態の何れか、あるいは何れの状態でもないか、判断する。Bluetooth（登録商標）機能がペアリング状態および接続済状態の何れでもない場合（ステップ３０５でＮｏの場合）、処理はステップ３０６に移行する。Bluetooth（登録商標）機能がペアリング状態または接続済状態である場合（ステップ３０５でＹｅｓの場合）、処理はステップ３０８に移行する。
【００３３】
（vi）ステップ３０６
プロセッサ１０１は、通信部１０４を用いて、Bluetooth（登録商標）機能を待機状態に設定する。
【００３４】
（vii）ステップ３０７
プロセッサ１０１は、センサ部１０５を用いて、電波時計１００の周囲に人（ユーザ）が存在するか（人が活動状態であるか）否か判断する。センサ部１０５として、例えば、明暗センサ、焦電型赤外線センサ、カメラなどを用いることができる。
例えば、センサ部１０５として明暗センサを用いる場合、明暗センサが所定値以上の明るさ（ルーメンやルクス）を検知した場合には人（ユーザ）が活動している可能性が高いと判断される。一方、所定値以上の明るさ（ルーメンスやルクス）を検知しない場合（周囲が暗い場合）には、人（ユーザ）が就寝中であるとか、電波時計１００が引き出しなどに仕舞われている可能性が高いと判断される。
【００３５】
また、例えば、センサ部１０５として焦電型赤外線センサを用いる場合、人が発する赤外線の変動を検知して人の活動の有無が検知される。人が電波時計１００を取り付けて動いている場合には人から発せられる赤外線が変動する一方、人が就寝中などの場合には人から発生される赤外線の変動は少ない。この性質を利用して人の活動の有無が検知される。
【００３６】
さらに、例えば、センサ部１０５としてカメラを用いる場合、カメラが撮像した画像（電波時計１００の所有者の顔など）を認識処理し、人の画像であるか否かによって人の活動の有無が検知される。なお、カメラは電波時計１００に備えていなくてもよく、例えば、監視カメラ（例えば、ホームセキュリティシステムの監視カメラ）と電波時計１００とが通信を行い、監視カメラが撮像した画像に基づいてプロセッサ１０１が人の存在（活動）の有無を確認するようにしてもよい。また、センサ部１０５は、カメラ、集電型赤外線センサ、明暗センサの少なくとも２つを組み合わせて人の活動を検知するようにしてもよい。
【００３７】
人の活動が検知された場合（ステップ３０７でＹｅｓの場合）、処理はステップ３０８に移行する。人の存在（活動）が検知されなかった場合（ステップ３０７でＮｏの場合）、処理はステップ３０４に移行する。
【００３８】
（viii）ステップ３０８
プロセッサ１０１は、標準電波の受信をしないように（受信を回避するように）、標準電波受信部１０２を制御する（標準電波受信部１０２による標準電波の受信を禁止する）。
【００３９】
以上のように、電波時計１００の周囲に人の活動が無い場合（例えば、電波時計１００が暗所にある場合）で、かつBluetooth（登録商標）機能が使用されていない場合には、Bluetooth（登録商標）機能をＯＦＦにして標準電波の受信を開始することにより、ユーザがBluetooth（登録商標）機能をわざわざＯＦＦにしなくても電波の干渉を受けることなく（Bluetooth（登録商標）によるノイズの影響を排除して）標準電波を受信できるようにすることができる。また、Bluetooth（登録商標）機能がＯＮ状態のときは、ユーザの使用中に強制的に当該機能をＯＦＦにすることがなくなり、ユーザビリティの向上を優先させることができる。
なお、プロセッサ１０１は、センサ部１０５が検知したデータから人の活動がないと判断し、Bluetooth（登録商標）を切った後に、Bluetooth（登録商標）を再接続した場合（プロセッサ１０１がBluetooth（登録商標）の切断を誤検知した場合）に、その検知したデータを記憶部１０６に記憶しておき、次回の判定に使用するようにしてもよい。
【００４０】
＜ＬＥＤ点灯モード切替機能を備える電波時計＞
通常の電波時計では、標準電波を受信していない時にはＬＥＤをパルス点灯（ダイナミック点灯ともいう）させ、標準電波の受信中はパルス点灯によるノイズによって標準電波の受信感度が低下する事態を避けるため、ＬＥＤを全て消灯させるようにするか、あるいは標準電波受信中を含め、ＬＥＤを常時スタティック点灯させてＬＥＤ表示している。
【００４１】
しかしながら、標準電波受信中にＬＥＤを消灯してしまうとその間時刻の確認ができなくなるという課題がある。また、常時スタティック点灯させると、ＬＥＤの寿命が短くなり、表示輝度が低下するまでの期間が短くなってしまうという課題がある。
【００４２】
そこで、本実施形態では、標準電波を受信していないときにはパルス点灯モードとし、標準電波を受信しているときにはスタティック点灯モードとするようにＬＥＤ点灯モードを切り替える機能を設けるようにしている。
【００４３】
図４は、本実施形態による電波時計であって、ＬＥＤ点灯モード切替機能を備える電波時計の機能構成を示すブロック図である。図４に示す電波時計１００は、図２の構成に加えて、ＬＥＤ点灯モード制御部４０１と、ＬＥＤ表示部４０２と、を備える。
【００４４】
プロセッサ１０１は、標準電波を受信していないときには、ＬＥＤをパルス点灯で制御するため、パルス点灯モードの情報を生成し、ＬＥＤ点灯モード制御部４０１およびＬＥＤ表示部４０２に送信する。一方、プロセッサ１０１は、標準電波の受信中になると、スタティック点灯モードの情報を生成し、ＬＥＤ点灯モード制御部４０１およびＬＥＤ表示部４０２に送信する。このとき、ＬＥＤ表示部４０２は、スタティック点灯で制御され、同時にＬＥＤの印加電圧がスタティック点灯用の電圧に切替えられる。また、この場合、プロセッサ１０１は、直前までパルス点灯で表示していたＬＥＤの明るさに応じてスタティック点灯電圧を調整し、表示の明るさの変化を少なくする。標準電波の受信が終了すると、プロセッサ１０１は、再びＬＥＤをパルス点灯に切替え、ＬＥＤの印加電圧をパルス点灯用の電圧に切替える。
【００４５】
ＬＥＤの印加電圧（パルス点灯用の電圧）、パルスのデューティ比およびスタティック点灯用の電圧）の算出は、ＬＥＤ点灯モード制御部４０１によって行うようにすることができる。例えば、ＬＥＤ点灯モード制御部４０１は、プロセッサ１０１から受け取った点灯モード（パルス点灯モードあるいはスタティック点灯モード）に基づいて、ＬＥＤ表示部４０２の調整電圧を算出し、ＬＥＤ表示部４０２に当該算出した調整電圧およびデューティ比を通知する。ＬＥＤ表示部４０２は、ＬＥＤ点灯モード制御部４０１から受け取った調整電圧で、プロセッサ１０１から受け取った点灯モードによる表示を行う。なお、パルス点灯用の電圧値、デューティ比およびスタティック点灯用の電圧値は、例えば、記憶部１０６に予め格納されている電圧値を、プロセッサ１０１を介してＬＥＤ点灯モード制御部４０１が受け取るようにしてもよい。
【００４６】
＜点灯モード切替処理の詳細＞
図５は、本開示の実施形態による点灯モード切替処理の詳細を説明するためのフローチャートである。プロセッサ１０１は、記憶部１０６から図５のフローチャートの処理を実行するための点灯モード切替処理プログラムを読み込み、内部メモリ（図示せず）に展開して各ステップを実行する。以下では、動作主体をプロセッサ１０１として説明するが、点灯モード切替処理プログラムと読み替えることも可能である。
【００４７】
（i）ステップ５０１
プロセッサ１０１は、標準電波受信部１０２によって標準電波の受信が開始され、継続中であるか否か判断する。標準電波が受信中である場合（ステップ５０１でＹｅｓの場合）、処理はステップ５０２に移行する。標準電波が受信中ではない場合（ステップ５０１でＮｏの場合）、処理はステップ５０５に移行する。
【００４８】
（ii）ステップ５０２
プロセッサ１０１は、ＬＥＤの点灯モードをスタティック点灯モードとし、ＬＥＤ点灯モード制御部４０１およびＬＥＤ表示部４０２に通知する。また、プロセッサ１０１は、ＬＥＤ表示部４０２を、スタティック点灯するように制御する。このときのＬＥＤへの印加電圧は、例えば、前回の標準電波受信時のスタティック点灯で用いた電圧値を用いてもよいし、デフォルト値を用いてもよい。
【００４９】
（iii）ステップ５０３
プロセッサ１０１は、記憶部１０６に記憶されているユーザの輝度設定を確認し、当該輝度設定の情報を取得し、ＬＥＤ点灯モード制御部４０１に送信する。プロセッサ１０１は、ＬＥＤ点灯モード制御部４０１を、取得した輝度設定の情報に基づいて、ＬＥＤ点灯電圧（スタティック点灯用の電圧値）を算出し、ＬＥＤ表示部４０２に当該電圧値を通知するように制御する。なお、例えば、輝度調整は、Ｈｉｇｈ、Ｍｉｄ、Ｌｏｗの３種類の輝度調整モードを含むようにしてもよい。従って、この場合、ユーザは、これらの３種類のうち１つを選択することができる。
【００５０】
（iv）ステップ５０４
プロセッサ１０１は、ＬＥＤ表示部４０２が、ＬＥＤ点灯モード制御部４０１が算出した電圧値で駆動するように、ＬＥＤ表示部４０２に含まれる駆動部（図示せず）を制御する。
【００５１】
（v）ステップ５０５
プロセッサ１０１は、ＬＥＤの点灯モードをパルス点灯モードとし、ＬＥＤ点灯モード制御部４０１およびＬＥＤ表示部４０２に通知する。そして、プロセッサ１０１は、ＬＥＤ表示部４０２を、パルス点灯するように制御する。このときのＬＥＤへの印加電圧およびデューティ比は、例えば、前回の標準電波受信時のパルス点灯で用いた電圧値およびデューティ比を用いてもよいし、デフォルト値を用いてもよい。
【００５２】
（vi）ステップ５０６
プロセッサ１０１は、記憶部１０６に記憶されているユーザの輝度設定を確認し、当該輝度設定の情報を取得し、ＬＥＤ点灯モード制御部４０１に送信する。プロセッサ１０１は、ＬＥＤ点灯モード制御部４０１を、取得した輝度設定の情報に基づいて、ＬＥＤ点灯電圧（パルス点灯用の電圧値）およびデューティ比を算出し、ＬＥＤ表示部４０２に当該電圧値を通知する。なお、例えば、輝度調整は、Ｈｉｇｈ、Ｍｉｄ、Ｌｏｗの３種類の輝度調整モードを含むようにしてもよい。従って、この場合、ユーザは、これらの３種類のうち１つを選択することができる。
【００５３】
（vii）ステップ５０７
プロセッサ１０１は、ＬＥＤ表示部４０２が、ＬＥＤ点灯モード制御部４０１が算出した電圧値で駆動するように、ＬＥＤ表示部４０２に含まれる駆動部（図示せず）を制御する。
【００５４】
以上のように、標準電波を受信していない間はパルス点灯でＬＥＤ表示し、標準電波を受信している中はスタティック点灯でＬＥＤ表示することにより、ＬＥＤの寿命を確保しながら受信中も時刻の確認ができるようになる。また、ユーザのＬＥＤ輝度設定に応じ、パルス点灯時は印加電圧およびデューティ比の調整、スタティック点灯時は印加電圧の調整をすることで同程度のＬＥＤ輝度を維持したままパルス点灯とスタティック点灯の切り替えができるようになる。よって、ユーザが標準電波受信中に時刻確認ができない、あるいは表示輝度が大きく変化するという不都合を防止することができる。なお、標準電波を受信中におけるＬＥＤ表示形態を、それを受信していないときのＬＥＤ表示形態と異なるようにしてもよい。例えば、標準電波受信中は、ＬＥＤ表示をカラー表示（赤、青、緑など）することにより表示形態を変化させることができる。
【符号の説明】
【００５５】
１  電波時計システム
１００  電波時計
１０１  プロセッサ
１０２  標準電波受信部
１０３  時刻修正部
１０４  通信部
１０５  センサ部
１０６  記憶部
１０７  入力部
１０８  出力部
２００  電波送信装置
３００  サーバ
４０１  ＬＥＤ点灯モード制御部
４０２  ＬＥＤ表示部
【図１】
2018179872.tif 000003
【図２】
2018179872.tif 000004
【図３】
2018179872.tif 000005
【図４】
2018179872.tif 000006
【図５】
2018179872.tif 000007